(57)【特許請求の範囲】
【請求項１】
左右対称となる二つの橋底板を含み、二つの前記橋底板の間には隙間があり、前記隙間の上端には防水空間が設置され、前記防水空間の上壁内部には防水圧縮ブロックが固定的に設置され、前記防水圧縮ブロックの両端には主鋼板が対称になるように固定的に設置され、前記主鋼板において前記防水圧縮ブロックから離れる側の壁には主鉄筋が固定的に設置され、前記主鉄筋は上下方向による負荷を受けることで、前記主鋼板が上下方向による圧力を受けたときに変形具合を抑えられ、前記主鉄筋の中には副鉄筋が設置され、前記副鉄筋は前記主鋼板において前記防水圧縮ブロックから離れる側の壁に固定的に設置され、前記副鉄筋は左右方向による負荷を受けることで、前記主鋼板が左右方向による圧力を受けたときに変形具合を抑えられ、橋面が膨張又は収縮するときに、前記主鋼板全体を駆動して移動させられ、前記防水空間の下端には防水ゴム板が設置され、前記防水ゴム板は前記隙間を密封することで、雨水が前記隙間に入って前記橋底板の内部を侵食することを避けられ、前記防水ゴム板の両端には回転可能な小型ボルトが回転可能に設置され、前記小型ボルトは前記主鋼板とネジ山で連結され、前記小型ボルトは前記防水ゴム板を前記主鋼板に固定でき、前記主鋼板の頂壁内部にはエネルギー貯蔵測定機構が設置され、前記エネルギー貯蔵測定機構の下端には排水空間が設置され、前記排水空間の中には排水機構が設置され、前記排水機構は前記防水空間の中の溜水を排出でき、前記主鋼板において前記防水圧縮ブロックから離れる一端と前記橋底板との間には防水粘着剤が注がれ、前記防水粘着剤が凝固した後に前記橋底板と前記主鋼板とを固定的に連結でき、前記防水粘着剤の下端には固定緩衝機構が設置され、前記固定緩衝機構は前記主鋼板に固定的に設置され、前記固定緩衝機構は前記主鋼板を前記橋底板に固定でき、
前記排水機構は前記排水空間の上下壁内部に設置されたマイクロ抽水ポンプを含み、前記マイクロ抽水ポンプの下端には入水管路が前記マイクロ抽水ポンプと連通になるように設置され、前記マイクロ抽水ポンプの上端には排水管路が前記マイクロ抽水ポンプと連通になるように設置され、前記排水管路の中には逆止め弁が設置され、前記逆止め弁は排出された溜水が前記マイクロ抽水ポンプに逆戻りすることを避けられ、前記排水空間において前記防水圧縮ブロックから離れる側には動力空間が設置され、前記動力空間の下壁内部には主モータが固定的に設置され、前記主モータは主駆動軸によって前記マイクロ抽水ポンプと連結され、前記排水空間の下端には水位監視器が設置され、前記水位監視器は前記主鋼板において前記防水圧縮ブロックに近接する側の壁に固定的に連結され、前記水位監視器は副伝達電線によって前記主モータと接続され、
以上により、溜水の水位が前記水位監視器の高度に達したとき、前記水位監視器は前記副伝達電線によって前記主モータを駆動でき、前記主モータは起動して前記主駆動軸によって前記マイクロ抽水ポンプを回転させ、前記マイクロ抽水ポンプは回転して溜水を前記入水管路と前記排水管路から本橋梁用伸縮継手装置の外部に排出でき、
前記エネルギー貯蔵測定機構は前記主鋼板の頂壁内部に固定的に設置された信号表示電池パネルを含み、前記信号表示電池パネルの下端には主伝達電線が設置され、前記主伝達電線の下端は前記主モータと接続され、前記信号表示電池パネルの右端にはゴムブロックが設置され、前記ゴムブロックの下端には小型ばねが固定的に設置され、前記小型ばねの下端には振動センサが固定的に設置され、前記振動センサは前記主伝達電線と接続され、
以上により、前記信号表示電池パネルは前記主伝達電線によって前記振動センサと前記主モータに給電でき、前記ゴムブロックは路面車両による圧力を受けた時、前記小型ばねによって前記振動センサを圧迫し、前記振動センサは圧迫を受ける数を記録でき、かつ前記主伝達電線によって回数を前記信号表示電池パネルに表示してメンテナンス作業員に提示し、
前記固定緩衝機構は前記主鋼板に固定的に設置された定位ブロックを含み、前記定位ブロックにおいて前記防水圧縮ブロックから離れる一端には回転可能な大型ボルトが設置され、前記大型ボルトと前記橋底板とはネジ山で連結され、前記大型ボルトは前記主鋼板を前記橋底板に固定でき、前記大型ボルトは定位ピンによって前記定位ブロックと固定的に連結され、前記主鋼板の振動によって離脱することを避け、前記主鋼板の下端には緩衝クッションと大型ばねとが矩形になるように配列され、前記大型ばねと前記緩衝クッションの下端には前記橋底板が固定的に設置され、前記大型ばねと前記緩衝クッションとで前記主鋼板が圧力を受けたときの振動を抑えられ、即ち前記主鋼板の振動によって前記橋底板に対する影響を抑えられ、
前記橋底板が熱によって膨張する時に、前記橋底板は前記主鋼板を駆動して前記防水圧縮ブロックを圧迫させることで、前記隙間と前記防水空間のサイズを変えて緩衝効果を果たし、前記橋底板が熱によって互いに押し合って壊れることを避け、また、長時間に本願発明を使用すると、前記防水空間には路面から浸透してきた雨水がたまり、前記防水空間の内部水位が前記水位監視器の高度に達したとき、前記水位監視器は前記副伝達電線によって前記主モータを駆動でき、前記主モータは起動して前記主駆動軸によって前記マイクロ抽水ポンプを回転させ、前記マイクロ抽水ポンプは回転して溜水を前記入水管路と前記排水管路から本橋梁用伸縮継手装置の外部に排出し、さらに、路面車両が本願発明を通った時、車両が前記ゴムブロックを圧迫し、前記ゴムブロックが圧迫を受けた時、前記小型ばねによって前記振動センサを圧迫し、前記振動センサは圧迫を受ける数を記録でき、かつ前記主伝達電線によって回数を前記信号表示電池パネルに表示してメンテナンス作業員に提示することを特徴とする橋梁用伸縮継手装置。
【発明の詳細な説明】
【技術分野】
【０００１】
本願発明は橋梁工事分野を取り上げ、特に橋梁用伸縮継手装置に関わる。
【背景技術】
【０００２】
伸縮継手とは、構造体間の相互変位による影響を吸収するための部材をいう。橋梁において、上部構造（主桁・主構）と地上構造（橋台や道路等）の間に設置する部材のことである。伸縮継手は、橋梁軸線と平行する方向及び垂直する方向において、自在に伸縮でき、頑丈でなければならない。また、設置された伸縮継手により、車両が橋梁を通った時、スムーズに通過でき、跳ねる又は騒音を起こすことはなく、さらに、雨水やゴミなどが侵入して橋梁を影響するすることもない、という効果が望ましい。もし伸縮継手が破壊されたら、通行車両をひどく影響し、安全事故すら引き起こせる。しかし、既存する伸縮継手には、主動排水機能を備えないため、長時間利用した後に、水漏れが起こしやすく、やがて雨水が橋主体を侵食して危害を引き起こす。また、車両が頻繁に通過するため、伸縮継手は圧力によって壊れやすい。よって、自動的に自身の作動状態を測定でき、且つ主動に排水できる伸縮継手を設計する必要がある。
【先行技術文献】
【特許文献】
【０００３】
【特許文献１】中国特許出願公開第１０１７２５１０９号明細書
【発明の概要】
【発明が解決しようとする課題】
【０００４】
橋梁用伸縮継手装置を提供し、上記問題を解決することを目的とする。
【課題を解決するための手段】
【０００５】
本願発明は以下の技術的解決策で実現される。
【０００６】
本願に記載の橋梁用伸縮継手装置は、左右対称となる二つの橋底板を含み、二つの前記橋底板の間には隙間があり、前記隙間の上端には防水空間が設置され、前記防水空間の上壁内部には防水圧縮ブロックが固定的に設置され、前記防水圧縮ブロックの両端には主鋼板が対称になるように固定的に設置され、前記主鋼板において前記防水圧縮ブロックから離れる側の壁には主鉄筋が固定的に設置され、前記主鉄筋は上下方向による負荷を受けることで、前記主鋼板が上下方向による圧力を受けたときに変形具合を抑えられ、前記主鉄筋の中には副鉄筋が設置され、前記副鉄筋は前記主鋼板において前記防水圧縮ブロックから離れる側の壁に固定的に設置され、前記副鉄筋は左右方向による負荷を受けることで、前記主鋼板が左右方向による圧力を受けたときに変形具合を抑えられ、橋面が膨張又は収縮するときに、前記主鋼板全体を駆動して移動させられ、前記防水空間の下端には防水ゴム板が設置され、前記防水ゴム板は前記隙間を密封することで、雨水が前記隙間に入って前記橋底板の内部を侵食することを避けられ、前記防水ゴム板の両端には回転可能な小型ボルトが回転可能に設置され、前記小型ボルトは前記主鋼板とネジ山で連結され、前記小型ボルトは前記防水ゴム板を前記主鋼板に固定でき、前記主鋼板の頂壁内部にはエネルギー貯蔵測定機構が設置され、前記エネルギー貯蔵測定機構の下端には排水空間が設置され、前記排水空間の中には排水機構が設置され、前記排水機構は前記防水空間の中の溜水を排出でき、前記主鋼板において前記防水圧縮ブロックから離れる一端と前記橋底板との間には防水粘着剤が注がれ、前記防水粘着剤が凝固した後に前記橋底板と前記主鋼板とを固定的に連結でき、前記防水粘着剤の下端には固定緩衝機構が設置され、前記固定緩衝機構は前記主鋼板に固定的に設置され、前記固定緩衝機構は前記主鋼板を前記橋底板に固定でき
【０００７】
さらに、前記排水機構は前記排水空間の上下壁内部に設置されたマイクロ抽水ポンプを含み、前記マイクロ抽水ポンプの下端には入水管路が前記マイクロ抽水ポンプと連通になるように設置され、前記マイクロ抽水ポンプの上端には排水管路が前記マイクロ抽水ポンプと連通になるように設置され、前記排水管路の中には逆止め弁が設置され、前記逆止め弁は排出された溜水が前記マイクロ抽水ポンプに逆戻りすることを避けられ、前記排水空間において前記防水圧縮ブロックから離れる側には動力空間が設置され、前記動力空間の下壁内部には主モータが固定的に設置され、前記主モータは主駆動軸によって前記マイクロ抽水ポンプと連結され、前記排水空間の下端には水位監視器が設置され、前記水位監視器は前記主鋼板において前記防水圧縮ブロックに近接する側の壁に固定的に連結され、前記水位監視器は副伝達電線によって前記主モータと接続され、
以上により、溜水の水位が前記水位監視器の高度に達したとき、前記水位監視器は前記副伝達電線によって前記主モータを駆動でき、前記主モータは起動して前記主駆動軸によって前記マイクロ抽水ポンプを回転させ、前記マイクロ抽水ポンプは回転して溜水を前記入水管路と前記排水管路から本橋梁用伸縮継手装置の外部に排出できる。
【０００８】
さらに、前記エネルギー貯蔵測定機構は前記主鋼板の頂壁内部に固定的に設置された信号表示電池パネルを含み、前記信号表示電池パネルの下端には主伝達電線が設置され、前記主伝達電線の下端は前記主モータと接続され、前記信号表示電池パネルの右端にはゴムブロックが設置され、前記ゴムブロックの下端には小型ばねが固定的に設置され、前記小型ばねの下端には振動センサが固定的に設置され、前記振動センサは前記主伝達電線と接続され、
以上により、前記信号表示電池パネルは前記主伝達電線によって前記振動センサと前記主モータに給電でき、前記ゴムブロックは路面車両による圧力を受けた時、前記小型ばねによって前記振動センサを圧迫し、前記振動センサは圧迫を受ける数を記録でき、かつ前記主伝達電線によって回数を前記信号表示電池パネルに表示してメンテナンス作業員に提示する。
【０００９】
さらに、前記固定緩衝機構は前記主鋼板に固定的に設置された定位ブロックを含み、前記定位ブロックにおいて前記防水圧縮ブロックから離れる一端には回転可能な大型ボルトが設置され、前記大型ボルトと前記橋底板とはネジ山で連結され、前記大型ボルトは前記主鋼板を前記橋底板に固定でき、前記大型ボルトは定位ピンによって前記定位ブロックと固定的に連結され、前記主鋼板の振動によって離脱することを避け、前記主鋼板の下端には緩衝クッションと大型ばねとが矩形になるように配列され、前記大型ばねと前記緩衝クッションの下端には前記橋底板が固定的に設置され、前記大型ばねと前記緩衝クッションとで前記主鋼板が圧力を受けたときの振動を抑えられ、即ち前記主鋼板の振動によって前記橋底板に対する影響を抑えられる。
【発明の効果】
【００１０】
本発明は以下のプラス効果を有する：本願発明は自動的に自身の作動状態を測定でき、メンテナンス遅れによる破損を避けられ、ひいては安全事故を避けられ、また、本願発明には主動排水でき、雨水に浸ることによる内部侵食を防げ、さらに雨水が浸透して橋の主体を侵食することも防げ、橋の主体を保護でき、連結部の安全リスクを抑える。
【図面の簡単な説明】
【００１１】
下記に図１〜４を合わせて本発明について詳しく説明し、便利に説明するために、本願に記載の各方向を以下のように規定する：図１は本願発明の正面図であり、本願に記載の各方向は、図１における観察方向に基づくものである。
【００１２】
【図１】図１は本願発明の内部構成略図
【図２】図２は図１の上面構成略図
【図３】図３は図１におけるＡ部の拡大略図
【図４】図４は図１におけるＢ部の拡大略図
【発明を実施するための形態】
【００１３】
図１〜図４を参照し、本願に記載の橋梁用伸縮継手装置は、左右対称となる二つの橋底板１１を含み、二つの前記橋底板１１の間には隙間４４があり、前記隙間４４の上端には防水空間４００が設置され、前記防水空間４００の上壁内部には防水圧縮ブロック１６が固定的に設置され、前記防水圧縮ブロック１６の両端には主鋼板１５が対称になるように固定的に設置され、前記主鋼板１５において前記防水圧縮ブロック１６から離れる側の壁には主鉄筋１３が固定的に設置され、前記主鉄筋１３は上下方向による負荷を受けることで、前記主鋼板１５が上下方向による圧力を受けたときに変形具合を抑えられ、前記主鉄筋１３の中には副鉄筋１４が設置され、前記副鉄筋１４は前記主鋼板１５において前記防水圧縮ブロック１６から離れる側の壁に固定的に設置され、前記副鉄筋１４は左右方向による負荷を受けることで、前記主鋼板１５が左右方向による圧力を受けたときに変形具合を抑えられ、橋面が膨張又は収縮するときに、前記主鋼板１５全体を駆動して移動させられ、前記防水空間４００の下端には防水ゴム板２４が設置され、前記防水ゴム板２４は前記隙間４４を密封することで、雨水が前記隙間４４に入って前記橋底板１１の内部を侵食することを避けられ、前記防水ゴム板２４の両端には回転可能な小型ボルト３８が回転可能に設置され、前記小型ボルト３８は前記主鋼板１５とネジ山で連結され、前記小型ボルト３８は前記防水ゴム板２４を前記主鋼板１５に固定でき、前記主鋼板１５の頂壁内部にはエネルギー貯蔵測定機構３０１が設置され、前記エネルギー貯蔵測定機構３０１の下端には排水空間２００が設置され、前記排水空間２００の中には排水機構２０１が設置され、前記排水機構２０１は前記防水空間４００の中の溜水を排出でき、前記主鋼板１５において前記防水圧縮ブロック１６から離れる一端と前記橋底板１１との間には防水粘着剤１２が注がれ、前記防水粘着剤１２が凝固した後に前記橋底板１１と前記主鋼板１５とを固定的に連結でき、前記防水粘着剤１２の下端には固定緩衝機構４０１が設置され、前記固定緩衝機構４０１は前記主鋼板１５に固定的に設置され、前記固定緩衝機構４０１は前記主鋼板１５を前記橋底板１１に固定できる。
【００１４】
好ましくは、前記排水機構２０１は前記排水空間２００の上下壁内部に設置されたマイクロ抽水ポンプ３６を含み、前記マイクロ抽水ポンプ３６の下端には入水管路３７が前記マイクロ抽水ポンプ３６と連通になるように設置され、前記マイクロ抽水ポンプ３６の上端には排水管路３２が前記マイクロ抽水ポンプ３６と連通になるように設置され、前記排水管路３２の中には逆止め弁４２が設置され、前記逆止め弁４２は排出された溜水が前記マイクロ抽水ポンプ３６に逆戻りすることを避けられ、前記排水空間２００において前記防水圧縮ブロック１６から離れる側には動力空間１００が設置され、前記動力空間１００の下壁内部には主モータ３３が固定的に設置され、前記主モータ３３は主駆動軸３５によって前記マイクロ抽水ポンプ３６と連結され、前記排水空間２００の下端には水位監視器４１が設置され、前記水位監視器４１は前記主鋼板１５において前記防水圧縮ブロック１６に近接する側の壁に固定的に連結され、前記水位監視器４１は副伝達電線３４によって前記主モータ３３と接続され、
以上により、溜水の水位が前記水位監視器４１の高度に達したとき、前記水位監視器４１は前記副伝達電線３４によって前記主モータ３３を駆動でき、前記主モータ３３は起動して前記主駆動軸３５によって前記マイクロ抽水ポンプ３６を回転させ、前記マイクロ抽水ポンプ３６は回転して溜水を前記入水管路３７と前記排水管路３２から本橋梁用伸縮継手装置の外部に排出できる。
【００１５】
好ましくは、前記エネルギー貯蔵測定機構３０１は前記主鋼板１５の頂壁内部に固定的に設置された信号表示電池パネル２６を含み、前記信号表示電池パネル２６の下端には主伝達電線２７が設置され、前記主伝達電線２７の下端は前記主モータ３３と接続され、前記信号表示電池パネル２６の右端にはゴムブロック２８が設置され、前記ゴムブロック２８の下端には小型ばね２９が固定的に設置され、前記小型ばね２９の下端には振動センサ３１が固定的に設置され、前記振動センサ３１は前記主伝達電線２７と接続され、
以上により、前記信号表示電池パネル２６は前記主伝達電線２７によって前記振動センサ３１と前記主モータ３３に給電でき、前記ゴムブロック２８は路面車両による圧力を受けた時、前記小型ばね２９によって前記振動センサ３１を圧迫し、前記振動センサ３１は圧迫を受ける数を記録でき、かつ前記主伝達電線２７によって回数を前記信号表示電池パネル２６に表示してメンテナンス作業員に提示する。
【００１６】
好ましくは、前記固定緩衝機構４０１は前記主鋼板１５に固定的に設置された定位ブロック２３を含み、前記定位ブロック２３において前記防水圧縮ブロック１６から離れる一端には回転可能な大型ボルト２１が設置され、前記大型ボルト２１と前記橋底板１１とはネジ山で連結され、前記大型ボルト２１は前記主鋼板１５を前記橋底板１１に固定でき、前記大型ボルト２１は定位ピン２２によって前記定位ブロック２３と固定的に連結され、前記主鋼板１５の振動によって離脱することを避け、前記主鋼板１５の下端には緩衝クッション１９と大型ばね１８とが矩形になるように配列され、前記大型ばね１８と前記緩衝クッション１９の下端には前記橋底板１１が固定的に設置され、前記大型ばね１８と前記緩衝クッション１９とで前記主鋼板１５が圧力を受けたときの振動を抑えられ、即ち前記主鋼板１５の振動によって前記橋底板１１に対する影響を抑えられる。
【００１７】
以下に図１〜図４を合わせて本願発明の使用手順について詳しく説明する。
【００１８】
橋底板１１が熱によって膨張する時に、橋底板１１は主鋼板１５を駆動して防水圧縮ブロック１６を圧迫させることで、隙間４４と防水空間４００のサイズを変えて緩衝効果を果たし、橋底板１１が熱によって互いに押し合って壊れることを避け、また、長時間に本願発明を使用すると、防水空間４００には路面から浸透してきた雨水がたまり、防水空間４００の内部水位が水位監視器４１の高度に達したとき、水位監視器４１は副伝達電線３４によって主モータ３３を駆動でき、主モータ３３は起動して主駆動軸３５によってマイクロ抽水ポンプ３６を回転させ、マイクロ抽水ポンプ３６は回転して溜水を入水管路３７と排水管路３２から本橋梁用伸縮継手装置の外部に排出し、さらに、路面車両が本願発明を通った時、車両がゴムブロック２８を圧迫し、ゴムブロック２８が圧迫を受けた時、小型ばね２９によって振動センサ３１を圧迫し、振動センサ３１は圧迫を受ける数を記録でき、かつ主伝達電線２７によって回数を信号表示電池パネル２６に表示してメンテナンス作業員に提示する。
【００１９】
本分野の従業員が明確できるのは、本発明の主旨と発想から離脱しない場合で、以上の実施例に各種な変形が加えられ、それらの変形がすべて本発明の保護範囲にある。本発明の保護方案は本発明の権利要請書を標準とすべきである。
【要約】
【課題】本願は橋梁用伸縮継手装置を開示した。
【解決手段】
本願は橋梁用伸縮継手装置を開示し、左右対称となる二つの橋底板を含み、二つの前記橋底板の間には隙間があり、前記隙間の上端には防水空間が設置され、前記防水空間の上壁内部には防水圧縮ブロックが固定的に設置され、前記防水圧縮ブロックの両端には主鋼板が対称になるように固定的に設置され、前記主鋼板において前記防水圧縮ブロックから離れる側の壁には主鉄筋が固定的に設置され、前記主鉄筋は上下方向による負荷を受けることで、前記主鋼板が上下方向による圧力を受けたときに変形具合を抑えられ、前記主鉄筋の中には副鉄筋が設置されている。
【選択図】図１【図１】
0006811923.tif 000002
【図２】
0006811923.tif 000003
【図３】
0006811923.tif 000004
【図４】
0006811923.tif 000005